(57)【要約】【課題】  各コンテンツプロバイダと契約することなく、自分の好みに適したコンテンツを探すことが可能なコンテンツ提供システムを提供する。【解決手段】  携帯端末装置３はメーカ側中継サーバ１の設定監視アプリ配信機能１３から設定監視アプリ３３をダウンロードして設定することで、メーカ側中継サーバ１から配信されかつＣＰサーバ２のコンテンツ作成部２１から提供されるコンテンツがダウンロード可能となる。メーカ側中継サーバ１は携帯端末装置３が各種コンテンツ設定部３３にて設定を変更する毎に設定監視アプリ３２から送られてくるログデータをログデータ解析機能１２にて採取し、ユーザポイント管理機能１４は携帯端末装置３のポイントを管理する。ログデータ解析機能１２は採取したデータを、契約している各ＣＰサーバ２にログデータを送付できるように、一部他社情報、個人情報を制限して送付する。【選択図】      図１
2007108890.tif 000002
【特許請求の範囲】
【請求項１】
コンテンツを提供するコンテンツプロバイダと、前記コンテンツプロバイダから提供されるコンテンツをダウンロードする携帯端末装置と、前記コンテンツを前記携帯端末装置側にダウンロード可能とする手段を含むメーカ側中継サーバとからなるコンテンツ提供システムであって、
前記メーカ側中継サーバは、前記コンテンツをダウンロード可能とするために前記携帯端末装置における前記コンテンツの設定内容を収集する設定監視プログラムを配布する手段と、前記携帯端末装置に配布した設定監視プログラムから送付される前記コンテンツの設定内容を収集しかつ収集した前記コンテンツの設定内容を対応する前記コンテンツプロバイダに送付する手段とを有し、
前記携帯端末装置は、前記メーカ側中継サーバから配布された設定監視プログラムにて前記コンテンツの設定内容を前記メーカ側中継サーバに送信することを特徴とするコンテンツ提供システム。
【請求項２】
前記携帯端末装置は、前記メーカ側中継サーバから前記コンテンツをダウンロードする手段と、そのダウンロードした前記コンテンツの設定を行う手段とを含むことを特徴とする請求項１記載のコンテンツ提供システム。
【請求項３】
前記メーカ側中継サーバは、前記コンテンツをダウンロードした前記携帯端末装置における前記コンテンツの設定内容の収集結果を対応する前記コンテンツプロバイダに送付し、
前記コンテンツプロバイダは、前記メーカ側中継サーバから送付されてくる収集結果を分析することを特徴とする請求項１または請求項２記載のコンテンツ提供システム。
【請求項４】
前記携帯端末装置は、前記設定監視プログラムにて前記コンテンツの設定内容を送信する毎に前記コンテンツを取得するためのポイントを取得することを特徴とする請求項１から請求項３のいずれか記載のコンテンツ提供システム。
【請求項５】
前記メーカ側中継サーバは、前記携帯端末装置が取得したポイントを管理する手段を含むことを特徴とする請求項４記載のコンテンツ提供システム。
【請求項６】
コンテンツプロバイダから提供されるコンテンツをダウンロードする携帯端末装置側に前記コンテンツをダウンロード可能とするメーカ側中継サーバであって、前記コンテンツをダウンロード可能とするために前記携帯端末装置における前記コンテンツの設定内容を収集する設定監視プログラムを配布する手段と、前記携帯端末装置に配布した設定監視プログラムから送付される前記コンテンツの設定内容を収集しかつ収集した前記コンテンツの設定内容を対応する前記コンテンツプロバイダに送付する手段とを有することを特徴とするメーカ側中継サーバ。
【請求項７】
前記コンテンツをダウンロードした前記携帯端末装置における前記コンテンツの設定内容の収集結果を対応する前記コンテンツプロバイダに送付することを特徴とする請求項６記載のメーカ側中継サーバ。
【請求項８】
前記設定監視プログラムにて前記コンテンツの設定内容が送信される毎に前記コンテンツを取得するためのポイントを前記携帯端末装置に付与しかつ前記携帯端末装置が取得したポイントを管理する手段を含むことを特徴とする請求項６または請求項７記載のメーカ側中継サーバ。
【請求項９】
コンテンツを提供するコンテンツプロバイダと、前記コンテンツを前記携帯端末装置側にダウンロード可能とする手段を含むメーカ側中継サーバとからなるコンテンツ提供システムにおいて、前記メーカ側中継サーバから前記コンテンツをダウンロードする携帯端末装置であって、
前記メーカ側中継サーバから配布されかつ前記コンテンツをダウンロード可能とするために前記コンテンツの設定内容を収集する設定監視プログラムを設定する手段と、前記メーカ側中継サーバから前記コンテンツをダウンロードする手段と、そのダウンロードした前記コンテンツの設定を行う手段とを有し、
前記コンテンツの設定時に前記設定監視プログラムにて前記コンテンツの設定内容を前記メーカ側中継サーバに送信することを特徴とする携帯端末装置。
【請求項１０】
前記設定監視プログラムにて前記コンテンツの設定内容を送信する毎に前記コンテンツを取得するためのポイントを取得することを特徴とする請求項９記載の携帯端末装置。
【請求項１１】
コンテンツを提供するコンテンツプロバイダと、前記コンテンツプロバイダから提供されるコンテンツをダウンロードする携帯端末装置と、前記コンテンツを前記携帯端末装置側にダウンロード可能とする手段を含むメーカ側中継サーバとからなるコンテンツ提供システムに用いられるコンテンツ提供方法であって、
前記メーカ側中継サーバが、前記コンテンツをダウンロード可能とするために前記携帯端末装置における前記コンテンツの設定内容を収集する設定監視プログラムを配布する処理と、前記携帯端末装置に配布した設定監視プログラムから送付される前記コンテンツの設定内容を収集しかつ収集した前記コンテンツの設定内容を対応する前記コンテンツプロバイダに送付する処理とを実行し、
前記携帯端末装置が、前記メーカ側中継サーバから配布された設定監視プログラムにて前記コンテンツの設定内容を前記メーカ側中継サーバに送信することを特徴とするコンテンツ提供方法。
【請求項１２】
前記携帯端末装置が、前記メーカ側中継サーバから前記コンテンツをダウンロードする処理と、そのダウンロードした前記コンテンツの設定を行う処理とを実行することを特徴とする請求項１１記載のコンテンツ提供方法。
【請求項１３】
前記メーカ側中継サーバが、前記コンテンツをダウンロードした前記携帯端末装置における前記コンテンツの設定内容の収集結果を対応する前記コンテンツプロバイダに送付し、
前記コンテンツプロバイダが、前記メーカ側中継サーバから送付されてくる収集結果を分析することを特徴とする請求項１１または請求項１２記載のコンテンツ提供方法。
【請求項１４】
前記携帯端末装置が、前記設定監視プログラムにて前記コンテンツの設定内容を送信する毎に前記コンテンツを取得するためのポイントを取得することを特徴とする請求項１１から請求項１３のいずれか記載のコンテンツ提供方法。
【請求項１５】
前記メーカ側中継サーバが、前記携帯端末装置が取得したポイントを管理する処理を実行することを特徴とする請求項１４記載のコンテンツ提供方法。
【発明の詳細な説明】
【技術分野】
【０００１】
本発明はコンテンツ提供システム、メーカ側中継サーバ、携帯端末装置及びそれらに用いるコンテンツ提供方法に関し、特に携帯電話装置に対してコンテンツを提供する方法に関する。
【背景技術】
【０００２】
近年、携帯電話装置においては、その機能向上とともに、メールの送受信、各種情報を提供するサイトの閲覧が可能となってきているだけでなく、ゲーム等の簡易プログラムのダウンロード、各種楽曲のダウンロード等も可能となってきている。
【０００３】
上記のような各種情報や簡易プログラム、各種楽曲等のコンテンツはコンテンツプロバイダから有償または無償で提供されるが、コンテンツプロバイダから有償で提供を受ける場合には、そのコンテンツプロバイダに登録することで、コンテンツの提供を受けている（例えば、特許文献１，２参照）。
【０００４】
【特許文献１】特開２００５−１０８１２１号公報
【特許文献２】特開２００５−００４４２７号公報
【発明の開示】
【発明が解決しようとする課題】
【０００５】
上述した従来の携帯電話装置では、コンテンツプロバイダからコンテンツをダウンロードする上で、以下の問題点がある。まず、契約したコンテンツプロバイダに登録されているコンテンツが自分の好みに適していない場合には、例えば着信音のアレンジについて好みに適していなければ、別のコンテンツプロバイダに登録をして同じ楽曲（アレンジが異なる楽曲）をダウンロードしなければならない。つまり、自分の好みに適したコンテンツを探す場合には各コンテンツプロバイダと一度は契約する必要がある。
【０００６】
また、コンテンツプロバイダにとって、ユーザのコンテンツの利用状況を取得するタイミングは、ユーザがコンテンツをダウンロードする時のみである。そのため、ダウンロード後の利用状況については把握することができない。
【０００７】
そこで、本発明の目的は上記の問題点を解消し、各コンテンツプロバイダと契約することなく、自分の好みに適したコンテンツを探すことができるコンテンツ提供システム、メーカ側中継サーバ、携帯端末装置及びそれらに用いるコンテンツ提供方法を提供することにある。
【０００８】
また、本発明の他の目的は、各コンテンツプロバイダがダウンロード後の利用状況について把握することができるコンテンツ提供システム、メーカ側中継サーバびそれらに用いるコンテンツ提供方法を提供することにある。
【課題を解決するための手段】
【０００９】
本発明によるコンテンツ提供システムは、コンテンツを提供するコンテンツプロバイダと、前記コンテンツプロバイダから提供されるコンテンツをダウンロードする携帯端末装置と、前記コンテンツを前記携帯端末装置側にダウンロード可能とする手段を含むメーカ側中継サーバとからなるコンテンツ提供システムであって、
前記メーカ側中継サーバは、前記コンテンツをダウンロード可能とするために前記携帯端末装置における前記コンテンツの設定内容を収集する設定監視プログラムを配布する手段と、前記携帯端末装置に配布した設定監視プログラムから送付される前記コンテンツの設定内容を収集しかつ収集した前記コンテンツの設定内容を対応する前記コンテンツプロバイダに送付する手段とを備え、
前記携帯端末装置は、前記メーカ側中継サーバから配布された設定監視プログラムにて前記コンテンツの設定内容を前記メーカ側中継サーバに送信している。
【００１０】
本発明による他のコンテンツ提供システムは、上記の構成において、前記メーカ側中継サーバが、前記コンテンツをダウンロードした前記携帯端末装置における前記コンテンツの設定内容の収集結果を対応する前記コンテンツプロバイダに送付し、
前記コンテンツプロバイダが、前記メーカ側中継サーバから送付されてくる収集結果を分析している。
【００１１】
本発明によるメーカ側中継サーバは、コンテンツプロバイダから提供されるコンテンツをダウンロードする携帯端末装置側に前記コンテンツをダウンロード可能とするメーカ側中継サーバであって、前記コンテンツをダウンロード可能とするために前記携帯端末装置における前記コンテンツの設定内容を収集する設定監視プログラムを配布する手段と、前記携帯端末装置に配布した設定監視プログラムから送付される前記コンテンツの設定内容を収集しかつ収集した前記コンテンツの設定内容を対応する前記コンテンツプロバイダに送付する手段とを備えている。
【００１２】
本発明による他のメーカ側中継サーバは、上記の構成において、前記コンテンツをダウンロードした前記携帯端末装置における前記コンテンツの設定内容の収集結果を対応する前記コンテンツプロバイダに送付する
【００１３】
本発明による携帯端末装置は、コンテンツを提供するコンテンツプロバイダと、前記コンテンツを前記携帯端末装置側にダウンロード可能とする手段を含むメーカ側中継サーバとからなるコンテンツ提供システムにおいて、前記メーカ側中継サーバから前記コンテンツをダウンロードする携帯端末装置であって、
前記メーカ側中継サーバから配布されかつ前記コンテンツをダウンロード可能とするために前記コンテンツの設定内容を収集する設定監視プログラムを設定する手段と、前記メーカ側中継サーバから前記コンテンツをダウンロードする手段と、そのダウンロードした前記コンテンツの設定を行う手段とを備え、
前記コンテンツの設定時に前記設定監視プログラムにて前記コンテンツの設定内容を前記メーカ側中継サーバに送信している。
【００１４】
本発明によるコンテンツ提供方法は、コンテンツを提供するコンテンツプロバイダと、前記コンテンツプロバイダから提供されるコンテンツをダウンロードする携帯端末装置と、前記コンテンツを前記携帯端末装置側にダウンロード可能とする手段を含むメーカ側中継サーバとからなるコンテンツ提供システムに用いられるコンテンツ提供方法であって、
前記メーカ側中継サーバが、前記コンテンツをダウンロード可能とするために前記携帯端末装置における前記コンテンツの設定内容を収集する設定監視プログラムを配布する処理と、前記携帯端末装置に配布した設定監視プログラムから送付される前記コンテンツの設定内容を収集しかつ収集した前記コンテンツの設定内容を対応する前記コンテンツプロバイダに送付する処理とを実行し、
前記携帯端末装置が、前記メーカ側中継サーバから配布された設定監視プログラムにて前記コンテンツの設定内容を前記メーカ側中継サーバに送信している。
【００１５】
本発明による他のコンテンツ提供方法は、上記の動作において、前記メーカ側中継サーバが、前記コンテンツをダウンロードした前記携帯端末装置における前記コンテンツの設定内容の収集結果を対応する前記コンテンツプロバイダに送付し、
前記コンテンツプロバイダが、前記メーカ側中継サーバから送付されてくる収集結果を分析している。
【００１６】
すなわち、本発明のコンテンツ提供システムは、携帯端末装置に対してコンテンツを提供するコンテンツプロバイダと、そのコンテンツをダウンロードする携帯端末装置と、それらの間において携帯電話装置に対するコンテンツ情報の提供や携帯端末装置におけるコンテンツの利用状況のコンテンツプロバイダへの提供を行うメーカ側中継サーバとから構成することを特徴とする。
【００１７】
携帯端末装置はコンテンツをダウンロードすると、そのコンテンツの設定状況をメーカ側中継サーバに報告することで、メーカ側中継サーバに設けたコンテンツサーバからコンテンツを提供してもらう。
【００１８】
メーカ側中継サーバは、コンテンツプロバイダに、コンテンツをダウンロードする携帯端末装置の設定状況を報告することで対価を受ける。コンテンツプロバイダでは、コンテンツをメーカ側中継サーバに提供することで対価を受け、携帯電話装置の設定状況を把握することで、提供するコンテンツを作成する上での戦略を練ることが可能となる。
【００１９】
これによって、本発明のコンテンツ提供システムでは、メーカ側中継サーバがコンテンツプロバイダにログデータを売ることで、ビジネスが成立する。メーカ側中継サーバには携帯電話装置の設定状況を入手するためのノウハウがあるため、そのノウハウを利用して携帯電話装置から設定内容のログデータを入手することが可能であり、ログ内容を解析した結果をコンテンツプロバイダに売ることで利益を得る。
【００２０】
コンテンツプロバイダでは、コンテンツをメーカ側中継サーバに提供することで利益を得るとともに、携帯電話装置の設定状況を把握することで、提供するコンテンツを作成する上での戦略を練る際の情報とすることが可能となる。コンテンツプロバイダでは、メーカ側中継サーバから携帯電話装置の設定内容を入手することで、携帯電話装置のユーザが求める本当のニーズを理解することが可能となり、現状の戦略に対しての問題点を明確化して今後の展開に繋げることが可能となる。
【００２１】
携帯電話装置のユーザは、各コンテンツプロバイダから提供されるコンテンツを利用することが可能である。同じ楽曲の着信音でも、各コンテンツプロバイダによってアレンジの手法が異なるため、聞いた感覚も異なるが、携帯電話装置のユーザはメーカ側中継サーバからコンテンツを得るため、個別に各コンテンツプロバイダと直接契約をしなくても、それぞれのコンテンツプロバイダの特徴を知ることが可能である。携帯電話装置のユーザはアンケートと異なり、設定内容のログを送信するだけなので、アンケートを記入する負荷がなくなるため、容易に利用することが可能となる。
【００２２】
本発明は携帯電話装置における各端末の設定状況を取得する場合に採用される。例えば、携帯電話装置に付属のカメラの起動方法について、メーカではいくつか用意しているが、全く知られていないショートカットが存在することがある。この場合でも、携帯電話装置から取得したログデータを解析してショートカットの利用状況を得ることで、今後の対策を取ることが可能となる。
【発明の効果】
【００２３】
本発明のコンテンツ提供システムは、以下に述べるような構成及び動作とすることで、各コンテンツプロバイダと契約することなく、自分の好みに適したコンテンツを探すことができるという効果が得られる。
【００２４】
本発明の他のコンテンツ提供システムは、以下に述べるような構成及び動作とすることで、各コンテンツプロバイダがダウンロード後の利用状況について把握することができるという効果が得られる。
【発明を実施するための最良の形態】
【００２５】
次に、本発明の実施例について図面を参照して説明する。図１は本発明の一実施例によるコンテンツ提供システムの構成を示すブロック図である。図１において、本発明の一実施例によるコンテンツ提供システムは、メーカ側中継サーバ１と、ＣＰ（コンテンツプロバイダ）サーバ２と、携帯端末装置３とから構成されている。ＣＰサーバ２は各コンテンツプロバイダ毎に設けられており（図１では１つであるが、２つ以上あっても問題ない）、携帯端末装置３としては、携帯電話機やＰＤＡ（Ｐｅｒｓｏｎａｌ  Ｄｉｇｉｔａｌ  Ａｓｓｉｓｔａｎｔ）等がある。
【００２６】
メーカ側中継サーバ１はコンテンツ配信機能１１と、ログデータ解析機能１２と、設定監視アプリケーションソフトウェア（以下、設定監視アプリとする）配信機能１３と、ユーザポイント管理機能１４とから構成されている。ＣＰサーバ２はコンテンツ作成部２１と、ログデータ分析部２２とから構成されている。携帯端末装置３はコンテンツダウンロード部３１と、設定監視アプリ３２と、各種コンテンツ設定部３３とから構成されている。
【００２７】
メーカ側中継サーバ１のコンテンツ配信機能１１は、ＣＰサーバ２から提供されるコンテンツを、携帯端末装置３がダウンロードできるように管理する。コンテンツ配信機能１１に登録されているコンテンツは、各ＣＰサーバ２から提供されているため、ユーザポイント管理機能１４で管理されているポイントにて、メーカ側中継サーバ２と提携している全てのＣＰサーバ１からのコンテンツをダウンロード可能としている。
【００２８】
ログデータ解析機能１２は携帯端末装置３が設定監視アプリ３２にて各種コテンツ設定部３３による設定変更を検出したタイミングにて取得されたログデータを各ＣＰサーバ２毎に分類するとともに、各ＣＰサーバ２に情報提供が可能な形式に分析する。
【００２９】
設定監視アプリ配信機能１３は携帯端末装置３が設定監視アプリ３２をダウンロードできるように準備しておき、ダウンロードされた後に、ログデータ解析機能１２に登録を行い、アプリがダウンロードされたことを知らせる。
【００３０】
ユーザポイント管理機能１４は携帯端末装置３がログデータをログデータ解析機能１２に送ることで、ポイントをユーザに付与し、そのポイントによってコンテンツをダウンロード可能なようにする。また、ユーザポイント管理機能１４は、携帯端末装置３のユーザが購入したポイントをも管理する。
【００３１】
ＣＰサーバ２のコンテンツ作成部２１はログデータ分析部２２にて分析した内容を反映させたコンテンツを作成する。メーカ側中継サーバ１と提携しているＣＰサーバ２は、コンテンツ作成部２１で作成されたコンテンツをコンテンツ配信機能１１に登録する。
【００３２】
ログデータ分析部２２はメーカ側中継サーバ１のログデータ解析機能１２から提供されるログデータを分析し、その分析結果を基にコンテンツを作成する上での戦略等を検討する。
【００３３】
コンテンツダウンロード部３１は携帯端末装置３に対応して蓄積されているユーザーＡが所持しているポイントに応じて、コンテンツをダウンロードする。ポイントが足りない場合には、課金することでポイントを購入することができる。
【００３４】
設定監視アプリ３２はメーカ側中継サーバ１の設定監視アプリ配信機能１３からダウンロードされ、各種コンテンツ設定が行われるタイミングにて、設定内容のログデータを採取する。設定監視アプリ３２は採取したログデータを、一定期間毎に、ログデータ解析機能１４に送信される。
【００３５】
各種コンテンツ設定部３３は設定内容（着信音、壁紙、アプリケーション等）が変更される度に、その設定内容のログデータが設定監視アプリ３３にて採取されて登録される。
【００３６】
本実施例では、携帯端末装置３がダウンロードしているコンテンツが設定される度に、設定監視アプリ３２がログデータを採取し、そのログデータをメーカ側中継サーバ１のログデータ解析機能１２に対して一定時間毎に報告することを前提として、設定監視アプリ３２を利用する場合においてのみ本実施例によるコンテンツ提供システムが成立する。
【００３７】
図２は本発明の一実施例によるコンテンツ提供システムの動作を示すシーケンスチャートである。これら図１及び図２を参照して本発明の一実施例によるコンテンツ提供システムの動作について説明する。
【００３８】
携帯端末装置３はメーカ側中継サーバ１の設定監視アプリ配信機能１３から設定監視アプリ３３をダウンロードし（図２のａ１参照）、その設定監視アプリ３３を設定する（図２のａ２参照）。この設定監視アプリ３３を設定することで、携帯端末装置３ではメーカ側中継サーバ１から配信されかつＣＰサーバ２のコンテンツ作成部２１から提供されるコンテンツをダウンロード可能となる（図２のａ３，ａ４参照）。
【００３９】
コンテンツをダウンロードをするためには、ログデータ解析機能１２にログデータを送付してポイントを得るか（図２のａ５，ａ６参照）、ポイントを購入することでポイントを得るかして（図２のａ７，ａ８参照）、コンテンツを購入するためのポイントを貯める必要がある。ポイントはユーザポイント管理機能１４にて管理される。
【００４０】
メーカ側中継サーバ１は、携帯端末装置３が各種コンテンツ設定部３３にて設定を変更する毎に設定監視アプリ３２から送られてくるログデータをログデータ解析機能１２にて採取する（図２のａ９，ａ１０参照）。この場合、ユーザポイント管理機能１４は携帯端末装置３のポイントに、ログデータの送付によるポイントを加算して管理する（図２のａ１１参照）。
【００４１】
ログデータ解析機能１２は採取したデータを、契約している各ＣＰサーバ２にログデータ（または解析データ）を送付できるように、一部他社情報、個人情報を制限して各ＣＰサーバ２に送付する（図２のａ１２，ａ１３参照）。
【００４２】
ＣＰサーバ２は、メーカ側中継サーバ１から送付されたログデータ（または解析データ）を基にログデータ分析部２２にて分析を行い（図２のａ１４参照）、戦略や方針を決めてコンテンツ作成部２１にてコンテンツを作成する時に、その内容を反映できるようにする（図２のａ１５参照）。
【００４３】
上記のようにして作成された新しいコンテンツはメーカ側中継サーバ１のコンテンツ配信機能１１に登録されることで（図２のａ１６，ａ１７参照）、携帯端末装置３にてさらに良いサービスを受けられることとなる。尚、ＣＰサーバ２から提供されるコンテンツの対価としては、メーカ側中継サーバ１のコンテンツ配信機能１１から携帯端末装置３がダウンロードした回数に応じてメーカ側からＣＰに支払われるようにすることも可能であるし、またメーカ側がＣＰから買い取ることも可能である。
【００４４】
このように、本実施例では、メーカ側中継サーバ１から配信されるコンテンツに携帯端末装置３の設定内容が反映されるので、各コンテンツプロバイダと契約することなく、自分の好みに適したコンテンツを探すことができる。
【００４５】
また、本実施例では、携帯端末装置３の設定内容がメーカ側中継サーバ１から各ＣＰサーバ２に送付されるので、各ＣＰが携帯端末装置３でのダウンロード後の利用状況について把握することができる。
【００４６】
メーカ側は各ＣＰにログデータを売ることで、ビジネスが成立することとなる。メーカ側には携帯端末装置３の設定状況を入手するためのノウハウがあるため、そのノウハウを利用して携帯端末装置３から設定内容のログデータを入手することが可能であり、ログ内容を解析した結果を各ＣＰに売ることで利益が得られる。
【００４７】
また、各ＣＰは携帯端末装置３からの設定内容のログデータが、コンテンツを作成する際に戦略を練る上での情報になる。各ＣＰはメーカ側から携帯端末装置３の設定内容に入手することで、携帯端末装置３のユーザが求める、本当のニーズを理解することができ、現状の戦略に対しての問題点を明確化して今後の展開に繋げることが可能である。
【００４８】
携帯端末装置３のユーザは、各ＣＰから提供されるコンテンツを利用することが可能である。同じ楽曲の着信音でも、各ＣＰによってアレンジの手法が異なるため、その楽曲を聞いた感覚も異なるが、コンテンツをメーカ側中継サーバ１から入手可能となるため、個別に各ＣＰと直接契約をしなくても、それぞれのＣＰの特徴を知ることが可能である。アンケートと異なり、設定内容のログを送信するだけなので、携帯端末装置３のユーザのアンケートを記入する負荷がなくなり、コンテンツを容易に利用することが可能となる。
【００４９】
本実施例では、上記の本実施例の方法を採用することで、携帯端末装置３における各端末の設定状況を取得することができる。例えば、携帯端末装置３に付属のカメラの起動方法について、メーカ側ではいくつか用意しているが、全く知られていないショートカットが存在する場合もある。この場合でも、携帯端末装置３から取得したログデータを基にショートカットの利用状況を解析し、今後の対策をとることができる。
【図面の簡単な説明】
【００５０】
【図１】本発明の一実施例によるコンテンツ提供システムの構成を示すブロック図である。
【図２】本発明の一実施例によるコンテンツ提供システムの動作を示すシーケンスチャートである。
【符号の説明】
【００５１】
１  メーカ側中継サーバ
２  ＣＰ（コンテンツプロバイダ）サーバ
３  携帯端末装置
１１  コンテンツ配信機能
１２  ログデータ解析機能
１３  設定監視アプリ配信機能
１４  ユーザポイント管理機能
２１  コンテンツ作成部
２２  ログデータ分析部
３１  コンテンツダウンロード部
３２  設定監視アプリ
３３  各種コンテンツ設定部
【図１】
2007108890.tif 000003
【図２】
2007108890.tif 000004